(57)【要約】  折り畳み自在に形成された携帯可能な本体（１１）と、本体の折り畳まれる面に設けられたソーラーセル（１３）と、外部電源からの電力を入力する入力端子（３０）と、ソーラーセルで発電した電力または入力端子から入力された電力を蓄積する二次電池（２１）と、ソーラーセルおよび二次電池の電圧を所定電圧に昇圧する昇圧回路（２５）と、昇圧回路で昇圧された電力を携帯電話機へ出力する出力端子（１４，１５）と、を備える。【特許請求の範囲】
【請求項１】
折り畳み自在に形成された携帯可能な本体と、
前記本体の折り畳まれる面に設けられたソーラーセルと、
外部電源からの電力を入力する入力端子と、
前記ソーラーセルで発電した電力または前記入力端子から入力された電力を蓄積する二次電池と、
前記ソーラーセルおよび／または前記二次電池の電圧を所定電圧に昇圧する昇圧回路と、
前記昇圧回路で昇圧された電力を負荷へ出力する出力端子と、を備えたことを特徴とするバッテリーチャージャー。
【請求項２】
前記負荷が、携帯電話機であることを特徴とする請求項１記載のバッテリーチャージャー。
【請求項３】
前記出力端子が、前記携帯電話機の仕様に適合するように複数形状の出力端子を有することを特徴とする請求項２記載のバッテリーチャージャー。
【発明の詳細な説明】
【技術分野】
【０００１】
本発明は、携帯電話機、携帯用音声再生装置、デジタルカメラ、デジタルビデオ等の携帯用各種機器に電力を供給する、特にソーラーセルを備えたバッテリーチャージャーに関する。
【背景技術】
【０００２】
二次電池を主電力とするこの種の携帯用機器には、コンセントに接続してここから電力を供給するバッテリーチャージャーが付属しているのが一般的であるが、こうしたバッテリーチャージャーはコンセントのある場所でしか充電できないという欠点を有している。このため、コンセントのない場所に長期間出かける際には、補充用の二次電池を携帯したりすることが行われている。
【発明の開示】
【０００３】
本発明は、ソーラーセルを発電要素とするとともにコンセントに接続可能で、しかも蓄電機能とソーラーセル保護機能とを備えた携帯可能なバッテリーチャージャーを提供することを目的とする。
【０００４】
上記目的を達成するために、本発明によれば、折り畳み自在に形成された携帯可能な本体と、前記本体の折り畳まれる面に設けられたソーラーセルと、外部電源からの電力を入力する入力端子と、前記ソーラーセルで発電した電力または前記入力端子から入力された電力を蓄積する二次電池と、前記ソーラーセルおよび／または前記二次電池の電圧を所定電圧に昇圧する昇圧回路と、前記昇圧回路で昇圧された電力を負荷へ出力する出力端子と、を備えたことを特徴とするバッテリーチャージャーが提供される。
【０００５】
上記発明において、前記負荷は、携帯電話機、携帯用音声再生装置、デジタルカメラ、デジタルビデオ等の携帯用各種機器である。
【０００６】
また、上記発明において、前記出力端子が、前記携帯用各種機器の仕様に適合するように複数形状の出力端子を有することがより好ましい。
【０００７】
本発明では、ソーラーセルで発電された電力または外部電力の入力端子から入力された電力を蓄電する二次電池を備えているので、太陽光があるとき又は外部電力出力端子（コンセント）がある場所で蓄電しておけば、太陽光のない夜や太陽光が届かない場所でも負荷に充電することが可能となる。
【０００８】
また、本発明ではバッテリーチャージャーの本体を折り畳み自在に形成し、折り畳まれる面にソーラーセルを設けているので、携帯時には小さくなるとともに使用時（発電時）にはより多くの太陽光を取得することができる。しかも、ソーラーセルが折り畳まれる面に設けられているので、使用しないとき（携帯時）にはソーラーセルによる発電は行われず、これによりソーラーセルおよび二次電池の消耗を防止することができる。
【０００９】
さらに、本発明では、昇圧回路によりソーラーセルおよび／または二次電池の電圧を昇圧して負荷に電力を供給するので、充電をスムーズに行うことができ、しかも充電時間を短縮することができる。
【図面の簡単な説明】
【００１０】
【図１】本発明のバッテリーチャージャーの実施形態を示す外観図である。
【図２】本発明のバッテリーチャージャーの実施形態を示すブロック図である。
【図３】本発明のバッテリーチャージャーの実施形態を示す電気回路図である。
【図４】本発明のバッテリーチャージャーの実施形態に係る入力端子及び出力端子に接続する接続ジャックの一例を示す要部斜視図である。
【図５】本発明のバッテリーチャージャーの実施形態に係る出力端子に接続する接続ケーブルの一例を示す側面図である。
【図６】本発明のバッテリーチャージャーの実施形態に係る出力端子に接続する接続ケーブルの他の例を示す側面図である。
【発明を実施するための最良の形態】
【００１１】
以下、本発明の実施形態を図面に基づいて説明する。【００１２】
図１は本発明のバッテリーチャージャーの実施形態を示す外観図であり、同図に示すように本実施形態に係るバッテリーチャージャー１は、２つ折に折り畳み自在に形成された本体１１を有し、ヒンジ１２の部分で折り畳むことができる。同図は本体１１が開かれた状態を示しているが、本体１１の折り畳まれる面（折り畳んだときに隠れる面）には、太陽光を受光して発電するソーラーセル１３が略全面に設けられている。【００１３】
本体１１の一端には、本実施形態に係るバッテリーチャージャーの負荷（充電対象物）となる携帯電話機の充電用端子に接続可能な出力端子１４が突出して形成され、この出力端子１４を、図外の接続ケーブルを介して携帯電話機の充電用端子に接続することで、バッテリーチャージャー１から携帯電話機に電力が供給される。【００１４】
なお、携帯電話機の機種によっては充電用端子の形状が異なる場合もあるので、本体１１にはもう一つの出力端子１５が形成され、この出力端子１５に図外の出力ケーブルを接続することで異なる形状の充電用端子を有する携帯電話機にも充電することができるようになっている。この出力端子１５を構成する孔部には、内部において出力端子１５と電気的に絶縁された入力端子３０が形成され、出力端子１５としても入力端子３０としても使用できるように構成されている。【００１５】
たとえば、携帯電話機などの充電対象物またはコンセントなどの外部電源と接続するための接続ケーブル４０の一端の接続ジャック４１を図４に示し、コンセントとの接続ケーブル４０を図５に示し、携帯電話機との接続ケーブル４０を図６に示す。図４に示す接続ジャック４１の端子４２の位置を、出力端子１５として使用する場合はたとえば同図に示す実線の位置４２ａとし、入力端子３０として使用する場合はたとえば同図に示す点線の位置４２ｂとする。これにより、ひとつの孔部を出力端子１５と入力端子３０で共用することができる。【００１６】
図１に戻り、本体１１の側面には充電開始スイッチ１６が設けられ、出力端子１４または１５に携帯電話機の充電用端子を接続してこのスイッチ１６を押すと、ＯＮ／ＯＦＦ表示ＬＥＤ１７が点灯して充電を開始する。【００１７】
１９は、後述する二次電池２１の充電状態（電気量）を表示するための充電用ＬＥＤであり、充電量がゼロのときは消灯または赤色ＬＥＤが点灯し、少しの充電量（たとえば、４０％以下）であるときは赤色ＬＥＤが点灯し、所定の満充電になると緑色ＬＥＤが点灯する。なお、充電用ＬＥＤ１９を、３色のＬＥＤが点灯するように構成し、たとえば充電量が０〜４０％のときは赤色ＬＥＤが点灯し、充電量が４０％〜７０％であるときは黄色ＬＥＤが点灯し、充電量が７０％以上になると緑色ＬＥＤが点灯するように構成すると、さらに充電状態の把握利便性が向上する。【００１８】
なお、本実施形態に係る本体１１の大きさは、折り畳んだ状態で縦９０ｍｍ×横５８ｍｍ×厚さ２１ｍｍであり、開いた状態で縦１８０ｍｍ×横５８ｍｍ×厚さ１０ｍｍであり、使用しないときはコンパクトで極めて携帯には便利であり、しかも使用時には４９ｍｍ×５６ｍｍ×２枚の大きさのソーラーセルパネルで発電できるので得られる電力も、本体１１の大きさとの関係で言えば極めて大きくなる。【００１９】
図２は本実施形態に係るバッテリーチャージャーのブロック図であり、折り畳み自在に形成された携帯可能な本体１１の折り畳まれる面に設けられたソーラーセル１３と、外部電源（コンセント）からの電力を入力する入力端子３０と、ソーラーセル１３で発電した電力または入力端子３０から入力された電力を蓄積する二次電池２１と、ソーラーセル１３および二次電池２１の電圧を所定電圧に昇圧する昇圧回路２５と、昇圧回路２５で昇圧された電力を携帯電話機へ出力する出力端子１４，１５と、を備える。なお、ソーラーセル１３と二次電池２１との間及び入力端子３０と二次電池２１との間に充電回路２０ａを設け、また二次電池２１と昇圧回路２５との間に放電回路２０ｂを設けてもよい。【００２０】
図３は本例のバッテリーチャージャーをさらに具体化した電気回路図であり、図１及び図２に示す部材と同じ部材には同じ符号を付している。ソーラーセル１３は、並列回路で二次電池２１に接続され、これによりソーラーセル１３で発電した電力及び入力端子３０から入力された電力が二次電池２１に蓄電される。【００２１】
また、ＯＮ／ＯＦＦ表示ＬＥＤ１７と充電用ＬＥＤ１９ａ，１９ｂ（一方が赤色ＬＥＤで、他方が緑色ＬＥＤ）が設けられ、電圧検出・ＬＥＤ点灯制御回路２８により二次電池２１の充電状態が検出されるとともに、ＯＮ／ＯＦＦ表示ＬＥＤ１７と充電用ＬＥＤ１９ａ，１９ｂの点灯制御が行われる。【００２２】
ソーラーセル１３および二次電池２１と出力端子１４，１５の間には、コイル２３、ダイオード２７および昇圧制御用ＩＣチップ２４を有する昇圧回路２５が接続され、ソーラーセル１３で発電された電力および二次電池２１に蓄電された電力の電圧を所定の電圧まで昇圧して出力端子１４，１５に印加する。本例において、携帯電話機の二次電池の定格電圧は一般的に３．６Ｖ〜３．８Ｖであり、ソーラーセル１３および二次電池２１の出力電圧は３．６Ｖであり、両者に電圧差がないので円滑に充電を行うことができないが、この昇圧回路２５にてソーラーセル１３および二次電池２１の出力電圧を８Ｖ前後まで昇圧して出力端子１４，１５に送ることで、出力端子１４，１５において４．６〜５．５Ｖの出力電圧を確保することができる。これにより、円滑な充電を行うことが可能となり、さらに充電時間を短縮することも可能となる。【００２３】
なお、２６は電気二重層コンデンサであり、本例では１６Ｖ、１００μＦの大容量のコンデンサを採用している。また、出力端子１４，１５には二次電池２１のみならずソーラーセル１３も接続されているので、ソーラーセル１３で発電しながら携帯電話機にそのまま充電することもできる。【００２４】
このように構成された本実施形態に係るバッテリーチャージャー１では、ソーラーセル１３で発電された電力又はコンセントから入力された外部電源からの電力を二次電池２１で一旦蓄電しているので、太陽光があるときに蓄電しておけば、太陽光のない夜や太陽光が届かない場所でも携帯電話機に充電することが可能となる。たとえば、山や外洋に行って遭難した際に、本実施形態のバッテリーチャージャー１を携帯しておけば、昼間に充電することができ、夜間に携帯電話機の電力がなくなっても電話をかけることができる。【００２５】
また、本実施形態ではバッテリーチャージャー１の本体１１を折り畳み自在に形成し、折り畳まれる面にソーラーセル１３を設けているので、携帯時には小さくなるとともに使用時（発電時）にはより多くの太陽光を取得することができる。しかも、ソーラーセル１３が折り畳まれる面に設けられているので、使用しないとき（携帯時）にはソーラーセル１３による発電は行われず、これによりソーラーセル１３および二次電池２１の消耗を防止することができる。【００２６】
さらに、本実施形態では、昇圧回路２５によりソーラーセル１３および二次電池２１の電圧を昇圧して携帯電話機に電力を供給するので、充電をスムーズに行うことができ、しかも充電時間を短縮することができる。【００２７】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図１】
2005022717.tif 000002
【図２】
2005022717.tif 000003
【図３】
2005022717.tif 000004
【図４】
2005022717.tif 000005
【図５】
2005022717.tif 000006
【図６】
2005022717.tif 000007
【国際調査報告】
2005022717.tif 000008
2005022717.tif 000009